(57)【特許請求の範囲】
【請求項１】
絶縁体と、
前記絶縁体に形成された主線路導体と、
前記絶縁体に形成され、前記主線路導体と磁界結合する電流検出用導体と、
を備え、
前記絶縁体は、
前記主線路導体と前記電流検出用導体との間に設けられ、前記絶縁体内において透磁率が周囲よりも低い低透磁率部を有する、
電流検出素子。
【請求項２】
前記主線路導体は前記絶縁体において、平面視したときに、直線状に形成されている、
請求項１に記載の電流検出素子。
【請求項３】
前記電流検出用導体は、
前記絶縁体に設けられ、前記主線路導体の延びる方向とは異なる方向に巻回軸を有するコイル状導体である、
請求項１又は２に記載の電流検出素子。
【請求項４】
前記絶縁体は、少なくとも一部で透磁率の異なる複数の絶縁体層が積層された積層体であり、複数の前記絶縁体層は少なくとも一部に磁性体層を有する、
請求項１から３のいずれかに記載の電流検出素子。
【請求項５】
前記磁性体層は磁性フェライトの層である、
請求項４に記載の電流検出素子。
【請求項６】
前記低透磁率部は非磁性体で構成されている、
請求項１から５のいずれかに記載の電流検出素子。
【請求項７】
前記低透磁率部は、前記主線路導体又は前記電流検出用導体の少なくとも一方に接している、
請求項１から６のいずれかに記載の電流検出素子。
【請求項８】
前記低透磁率部は、
前記主線路導体及び前記電流検出用導体に接している、
請求項７に記載の電流検出素子。
【請求項９】
複数の前記電流検出用導体を備える、
請求項１から８のいずれかに記載の電流検出素子。
【請求項１０】
前記電流検出用導体に接続された、周波数特性を有する素子を備える、
請求項１から９のいずれかに記載の電流検出素子。
【請求項１１】
送電装置が有する送電側結合部と、受電装置が有する受電側結合部とを、電界または磁界の少なくとも一方により結合させて、前記送電装置から前記受電装置へ電力を伝送する電力伝送システムにおいて、
前記送電装置は、
前記送電側結合部に接続される電力伝送ラインに流れる交流成分を有する電流を検出する電流検出部、
を有し、
前記電流検出部は、
絶縁体と、
前記絶縁体に形成された主線路導体と、
前記絶縁体に形成され、前記主線路導体と磁界結合する電流検出用導体と、
を備え、
前記絶縁体は、
前記主線路導体と前記電流検出用導体との間に設けられ、前記絶縁体内において透磁率が周囲よりも低い低透磁率部を有し、
前記主線路導体は、前記電力伝送ラインの一部を構成している、
電力伝送システム。
【発明の詳細な説明】
【技術分野】
【０００１】
本発明は、線路に流れる高周波電流を検出する電流検出素子及び電力伝送システムに関する。
【背景技術】
【０００２】
線路に流れる電流を検出する素子として、例えばカレントトランスが知られている。カレントトランスは通常、トロイダルコアに巻線したトランスで構成される。そのため、部品のサイズが大きくなるため、小型、低背化が要求される装置には、カレントトランスを用いることは困難となる場合がある。そこで、小型、薄型トランスの例として、例えば、特許文献１に記載されている積層トランスがある。特許文献１に記載の積層トランスは、導体パターンを印刷した磁性体シートを積層し、トランスを構成した表面実装電子部品である。
【先行技術文献】
【特許文献】
【０００３】
【特許文献１】特開２００４−２５７９６４号公報
【発明の概要】
【発明が解決しようとする課題】
【０００４】
しかしながら、特許文献１に記載の積層トランスの場合、一次側及び二次側の線路が略直線上であるため、インダクタンスが小さく、トランスとしての結合は弱い。このため、この積層トランスを電流検出用に用いた場合、検出感度が低く、電流検出を精度よく行えない場合がある。【０００５】
そこで、本発明の目的は、小型化でき、感度よく電流検出を行える電流検出素子及びそれを備えた電力伝送システムを提供することにある。
【課題を解決するための手段】
【０００６】
本発明に係る電流検出素子は、絶縁体と、前記絶縁体に形成された主線路導体と、前記絶縁体に形成され、前記主線路導体と磁界結合する電流検出用導体と、を備え、前記絶縁体は、前記主線路導体と前記電流検出用導体との間に設けられ、前記絶縁体内において透磁率が周囲よりも低い低透磁率部を有することを特徴とする。【０００７】
この構成では、主線路導体に電流が流れると、主線路導体から磁束が発生し、その磁束が電流検出用導体と鎖交することで、電流検出用導体に誘導電流が流れる。この誘導電流を検出することで、主線路導体に流れる電流を検出できる。主線路導体と、電流検出用導体との間には低透磁率部が形成されているため、主線路導体と、電流検出用導体との磁界結合は強い。このため、出力電圧を大きくすることができ、感度よく電流検出を行える。【０００８】
前記主線路導体は前記絶縁体において、平面視したときに、直線状に形成されていることが好ましい。【０００９】
この構成では、主線路導体の形成が容易となる。また、主線路導体のインダクタンスと抵抗値とを低減できる。また、主線路に接続される回路への影響を軽減することができる。【００１０】
前記電流検出用導体は、前記絶縁体に設けられ、前記主線路導体の延びる方向とは異なる方向に巻回軸を有するコイル状導体であってもよい。【００１１】
この構成では、主線路導体と、電流検出用導体との磁界結合を強くでき、感度よく電流検出を行える。また、コイル状導体であるため検出用導体のインダクタンスを大きくすることができ、出力電圧が増大する。【００１２】
前記絶縁体は、少なくとも一部で透磁率の異なる複数の絶縁体層が積層された積層体であり、複数の前記絶縁体層は少なくとも一部に磁性体層を有する構成が好ましい。【００１３】
この構成では、電流検出用導体のインダクタンスを高くすることができ、主線路の電流により生じる磁界、及び電流検出用導体周辺の磁界を基板内に閉じ込めることができる。【００１４】
前記磁性体層は磁性フェライトの層であることが好ましい。【００１５】
この構成では、電流検出用導体のインダクタンスを高くすることができ、主線路の電流により生じる磁界、及び電流検出用導体周辺の磁界を基板内に閉じ込めることができる。また、周囲への漏洩磁界を低減することができ、漏洩ノイズを低くすることができる。さらに、透磁率が高い磁性フェライトで磁路を形成することができるので、主線路導体と、電流検出用導体との磁界結合を強くでき、感度よく電流検出を行える。【００１６】
前記低透磁率部は非磁性体で構成されることが好ましい。【００１７】
この構成では、透磁率の高い領域（主線路周辺、又は、電流検出用導体の周辺）に磁界が閉じこもり結合しにくくなる状態を解消することができるので、主線路導体と、電流検出用導体との磁界結合を強くでき、感度よく電流検出を行える。また、磁束密度の集中を緩和することができるので、磁性体の磁気飽和を抑制し、より大きな電流を取り扱うことができる。【００１８】
前記低透磁率部は、前記主線路導体又は前記電流検出用導体の少なくとも一方に接していてもよい。【００１９】
この構成では、磁束集中を弱めることができる。【００２０】
前記低透磁率部は、前記主線路導体及び前記電流検出用導体に接している、ことが好ましい。【００２１】
この構成では、透磁率の高い領域（主線路周辺、あるいは、電流検出用導体の周辺）に磁界が閉じこもり結合しにくくなる状態を解消することができるので、主線路導体と、電流検出用導体との磁界結合を強くでき、感度よく電流検出を行える。【００２２】
本発明に係る電流検出素子は、複数の前記電流検出用導体を備える構成でもよい。【００２３】
この構成では、複数の電流検出用導体が独立している場合には、複数の電流検出結果を得ることができる。また、複数の電流検出用導体を直列接続した場合には、主線路導体と、電流検出用導体との磁界結合を強くでき、感度よく電流検出を行える。複数の電流検出用導体を並列接続した場合には、電流検出用導体の抵抗を下げ、損失を抑えることができる。【００２４】
前記電流検出用導体に接続された、周波数特性を有する素子を備えてもよい。【００２５】
この構成では、使用する周波数帯での感度を高めたり、不要周波数成分（例えば、高調波成分）をフィルタリングしたりすることができる。また、周波数特性を有する素子、例えばコンデンサを電流検出素子に外付けする必要がないため、素子を実装する領域を確保する必要がない。【００２６】
本発明は、送電装置が有する送電側結合部と、受電装置が有する受電側結合部とを、電界または磁界の少なくとも一方により結合させて、前記送電装置から前記受電装置へ電力を伝送する電力伝送システムにおいて、前記送電装置は、前記送電側結合部に接続される電力伝送ラインに流れる交流成分を有する電流を検出する電流検出部、を有し、前記電流検出部は、絶縁体と、前記絶縁体に形成された主線路導体と、前記絶縁体に形成され、前記主線路導体と磁界結合する電流検出用導体と、を備え、前記絶縁体は、前記主線路導体と前記電流検出用導体との間に設けられ、前記絶縁体内において透磁率が周囲よりも低い低透磁率部を有し、前記主線路導体は、前記電力伝送ラインの一部を構成していることを特徴とする。【００２７】
この構成では、送電装置において、送電側結合部に流れる電流を感度よく検出できる。検出した電流の大きさ、又は位相の変化により、受電装置の載置の有無の判定又は異常等の状態検知を行うことができる。
【発明の効果】
【００２８】
本発明によれば、主線路導体と、電流検出用導体との磁界結合は強い。このため、感度よく電流検出を行える。
【図面の簡単な説明】
【００２９】
【図１】図１（Ａ）は、電流検出素子の平面図、図１（Ｂ）は、図１（Ａ）のＩ−Ｉ線における断面図である。
【図２】図２（Ａ）及び図２（Ｂ）は、電流検出素子を用いた電流検出回路を示す図である。
【図３】図３（Ａ）は、別の例の電流検出素子の平面図、図３（Ｂ）は、図３（Ａ）のIII−III線における断面図である。
【図４】図４（Ａ）は、電流検出素子の平面図、図４（Ｂ）は、図４（Ａ）のIV−IV線における断面図である。
【図５】図５（Ａ）は、電流検出素子の平面図、図５（Ｂ）は、図５（Ａ）のＶ−Ｖ線における断面図である。
【図６】図６は、コイル導体に生じる誘導電流の流れる方向を説明するための図である。
【図７】図７（Ａ）、図７（Ｂ）および図７（Ｃ）は、別の例の電流検出素子を示す図である。
【図８】図８は、低透磁率部を設けることによる効果を説明するための図である。
【図９】図９（Ａ）は、電流検出素子を備えた電流検出回路モジュールの平面図、図９（Ｂ）は、図９（Ａ）のＩＸ−ＩＸ線における断面図である。
【図１０】図１０は、電流検出回路モジュールの回路図である。
【図１１】図１１は、実施形態５に係る電力伝送システムの回路図である。
【発明を実施するための形態】
【００３０】
（実施形態１）
図１（Ａ）は、電流検出素子１の平面図、図１（Ｂ）は、図１（Ａ）のＩ−Ｉ線における断面図である。なお、図１（Ａ）に示す平面図は透視図である。
【００３１】
電流検出素子１は、積層体１０、主線路用電極１１及びコイル導体１２を備えている。積層体１０は、複数の絶縁体層が積層された絶縁体であり、焼結されて形成されている。絶縁体層は、フェライト等の磁性体のみからなる絶縁体層と、磁性体及び非磁性体からなる絶縁体層とがある。磁性体は、強磁性体であり、比透磁率μｒ＞１である。非磁性体は、周囲の磁性体よりも透磁率が低く、比透磁率μｒ＝１である。これら絶縁体層が積層された際、積層体１０には、磁性体により高透磁率部と、非磁性体により周囲の高透磁率部よりも透磁率が低い低透磁率部１３が形成される。なお、低透磁率部１３には非磁性体ではなく低透磁率の磁性体（非等磁率μｒ≠１、ただし高透磁率部の透磁率よりも低い）を用いてもよい。
【００３２】
積層体１０の一方主面には、マザー基板に実装するための複数の実装電極（不図示）が形成されている。電流検出素子１は、実装電極が形成された積層体１０の主面（以下、実装面と言う）をマザー基板側にして実装される。図１（Ａ）は、積層体１０の積層方向において、実装面と対向する面（以下、上面と言う）から視た平面図である。
【００３３】
主線路用電極１１は、積層体１０の低透磁率部１３内に形成されている。主線路用電極１１は、非磁性体を含む絶縁体層の主面であって、非磁性体部分に直線状の導体パターンが印刷されることで形成される。主線路用電極１１に隣接してコイル導体１２が配置される。コイル導体１２、主線路用電極１１の配列方向と交わる方向における、主線路用電極１１の両端付近それぞれは、層間接続導体（図中黒丸）を介して、異なる実装電極に接続されている。主線路用電極１１は、本発明に係る「主線路導体」の一例である。主線路用電極１１は直線状に形成されているため、主線路用電極１１の形成が容易であり、主線路用電極１１のインダクタンスと抵抗値とを低減できる。
【００３４】
なお、積層体１０の積層方向と平行な側面に主線路用電極１１を引き出して、積層体１０の側面を介して実装電極に接続することもできる。この場合、積層体１０の内部において主線路用電極１１が磁性体に接するまたは近接する領域を短くすることができ、主線路用電極１１の周囲の磁性体及び非磁性体による実効透磁率が低下するため、主線路用電極１１のインダクタンスをさらに低減することができる。
【００３５】
コイル導体１２は、巻回軸を積層体１０の積層方向にし、かつ、一部が低透磁率部１３内に位置するよう形成されている。コイル導体１２の巻回軸は、主線路用電極１１の延びる方向とは異なる方向を向いている。つまり、コイル導体１２の巻回軸は主線路用電極１１とねじれの位置関係となっている。コイル導体１２は、積層方向からの平面視で、主線路用電極１１と間隙をおいて隣接配置されている。コイル導体１２は、本発明に係る「電流検出用導体」の一例である。なお、コイル導体１２の巻回方向は特に限定されない。また、コイル導体を主線路用電極１１の延びる方向に沿って複数配置してもよい。
【００３６】
コイル導体１２は、開ループ状導体１２１，１２２，１２３，１２４から構成されている。開ループ状導体１２１，１２２，１２３，１２４それぞれは、異なる絶縁体層の主面に形成されている。また、開ループ状導体１２２，１２３が、非磁性体を含む絶縁体層の主面に形成され、その開ループ状導体１２２，１２３の一部は非磁性体部分に形成されている。そして、積層方向に隣接する開ループ状導体の一端同士が、層間接続導体（不図示）により接続されている。これにより、巻回軸を積層体１０の積層方向にし、かつ、一部が積層体１０の低透磁率部１３内に配置されたコイル導体１２が形成される。
【００３７】
なお、コイル導体１２の両端それぞれは、層間接続導体（不図示）により、積層体１０の実装面に形成された異なる実装電極に接続されている。
【００３８】
この構成の電流検出素子１において、主線路用電極１１に交流成分を有する電流が流れると、時間的に変化する磁束が発生する。コイル導体１２の巻回軸は主線路用電極１１に流れる電流とねじれの位置関係となっているため、コイル導体１２には、コイル導体１２のコイル開口を通して、主線路用電極１１に流れる電流により発生した磁束が鎖交する。これにより、主線路用電極１１とコイル導体１２とは磁界結合する。そして、コイル導体１２には誘導起電力が生じ、誘導起電力に応じてコイル導体１２に誘導電流が流れる。この誘導起電力又は誘導電流を検出することで、主線路用電極１１に流れる電流を検出できる。
【００３９】
本実施形態では、主線路用電極１１とコイル導体１２の一部とは、低透磁率部１３内に形成されている。換言すれば、図１（Ａ）に示すコイル導体１２の巻回軸方向の平面視で、主線路用電極１１とコイル導体１２との間に低透磁率部１３が形成されている。主線路用電極１１とコイル導体１２の一部とは低透磁率部１３に接している。このため、主線路用電極１１からの発生した磁束は、主線路用電極１１とコイル導体１２との間を避けるようにして、コイル導体１２のコイル開口を通過するため、コイル導体１２にはより多くの磁束が鎖交する。その結果、主線路用電極１１とコイル導体１２との磁界結合は強くなる。これにより、主線路用電極１１に流れる電流の検出感度を高めることができる。また、コイル導体１２の一部のみ低透磁率部１３内に形成されているので、低透磁率部１３によってコイル導体１２のインダクタンスが大幅に低下しない。
【００４０】
また、主線路用電極１１とコイル導体１２との間に低透磁率部１３を設けることで、主線路用電極１１とコイル導体１２との距離を近づけることなく、磁界結合を強くすることができる。そして、主線路用電極１１とコイル導体１２とを離すことで、２つの電極間に生じる寄生容量を低減できる。
【００４１】
さらに、主線路用電極１１は低透磁率部１３内に配置されているため、主線路用電極１１近傍の磁束集中を弱めることができる。このため、主線路用電極１１にはより大きな電流を流すことができる。主線路用電極１１周りの透磁率は低いため、主線路用電極１１のインダクタンス成分または磁気損失を小さくできる。さらに、主線路用電極１１周りの磁気飽和を防止できる。
【００４２】
図２（Ａ）及び図２（Ｂ）は、電流検出素子１を用いた電流検出回路を示す図である。図２（Ａ）及び図２（Ｂ）に示すインダクタＬ１は、主線路用電極１１のインダクタンス成分である。
【００４３】
電流検出素子１は、主線路用電極１１がマザー基板の主線路の途中に配置されるよう、マザー基板に実装される。また、コイル導体１２が接続されている実装電極は、主線路用電極１１を流れる電流を検出するための検出用回路に接続される。検出用回路は、図２（Ａ）に示すように、キャパシタＣ１及び負荷ＲＬである。電流検出素子１をマザー基板に実装することで、コイル導体１２は、キャパシタＣ１及び負荷ＲＬに直列に接続される。そして、前記のように、コイル導体１２に誘導電流が流れたとき、負荷ＲＬの両端電圧を検出することで、主線路用電極１１に流れる電流、すなわち、マザー基板の主線路に流れる電流を検出できる。キャパシタＣ１は、コイル導体１２に対して直列に接続されているが、並列に接続してもよい。
【００４４】
また、図２（Ａ）では、キャパシタＣ１は、電流検出素子１に外付けに接続しているが、図２（Ｂ）に示すように、電流検出素子１内に、キャパシタＣ２を設けてもよい。キャパシタＣ２は、例えば、積層体１０の上側主面に実装し、又は積層体内部に２枚の面状導体を平行に対向配置することで形成できる。このキャパシタＣ２と、負荷ＲＬにより、検出用回路を構成している。この場合、キャパシタＣ２を、電流検出素子１に外付けする必要がないため、キャパシタＣ２を実装する領域をマザー基板に確保する必要がない。キャパシタＣ２は、本発明に係る「周波数特性を有する素子」の一例である。
【００４５】
なお、平面視で、低透磁率部１３は、主線路用電極１１及びコイル導体１２の少なくとも一方と重なっていればよい。
【００４６】
図３（Ａ）は、別の例の電流検出素子１Ａの平面図、図３（Ｂ）は、図３（Ａ）のIII−III線における断面図である。なお、図３（Ａ）に示す平面図は透視図である。
【００４７】
この例では、低透磁率部１３Ａ内には、主線路用電極１１のみが形成されている。この構成であっても、主線路用電極１１とコイル導体１２との間に低透磁率部１３Ａを形成しているため、低透磁率部１３が形成されない場合と比較して主線路用電極１１とコイル導体１２との磁界結合を強くすることができる。このため、主線路用電極１１に流れる電流の検出感度を高めることができる。
【００４８】
なお、電流検出素子１，１Ａでは、主線路用電極１１全体が低透磁率部１３，１３Ａ内に形成されているが、主線路用電極１１の一部が低透磁率部１３，１３Ａ内に形成されていればよい。また、電流検出素子１Ａでは、コイル導体１２の巻回軸方向の平面視で、低透磁率部１３Ａは主線路用電極１１と重なっているが、コイル導体１２と重なり、主線路用電極１１とは重ならない構成であってもよい。さらに、低透磁率部１３，１３Ａはコイル導体１２及び主線路用電極１１とは重ならず、コイル導体１２の一部と主線路用電極１１の一部とを結ぶ線分上において低透磁率部１３，１３Ａが配置されている構成であってもよい。この構成であっても、低透磁率部１３，１３Ａが形成されない場合と比較して主線路用電極１１とコイル導体１２との磁界結合は強いため、主線路用電極１１に流れる電流の検出感度を高めることができる。
【００４９】
ただし、コイル導体１２と主線路用電極１１の少なくても一方が非磁性体部と接している場合の方が、非磁性体部がコイル導体１２及び主線路用電極１１の両方に接していない場合よりも結合を高めることができる。この場合、高透磁率部を通過する磁束の多くがコイル導体１２と主線路用電極１１の一方と鎖交することができ、高透磁率部に発生し、コイル導体１２と主線路用電極１１の一方と鎖交しない漏れ磁束を減らすことができる。さらには、コイル導体１２と主線路用電極１１の両方が非磁性体部と接している場合の方が、コイル導体１２と主線路用電極１１の少なくても一方が非磁性体部と接していない場合よりも結合を高めることができる。この場合、高透磁率部を通過する磁束の多くがコイル導体１２と主線路用電極１１の両方と鎖交することができ、高透磁率部に発生し、コイル導体１２と主線路用電極１１の両方と鎖交しない漏れ磁束を減らすことができる。
【００５０】
なお、本実施形態では高透磁率部を磁性体（強磁性体）、低透磁率部を非磁性体、又は高透磁率部よりも透磁率の低い磁性体を用いたがこれに限らない。例えば、低透磁率部を反磁性体（比透磁率μｒ＜１）で構成し、高透磁率部を磁性体または非磁性体で構成してもよい。少なくとも低透磁率部の透磁率が周囲の高透磁率部の透磁率よりも低ければよい。
【００５１】
また、積層方向において、積層体１０の最も外側の２つの層を非磁性体層とし、最も外側の２つの非磁性体層で、磁性体層及び他の非磁性体層を挟む構成でもよい。これにより、磁束を積層体１０内に閉じ込めるとともに、積層体１０の機械強度を強くすることができる。
【００５２】
（実施形態２）
実施形態２に係る電流検出素子は、低透磁率部の大きさが実施形態１と相違する。
【００５３】
図４（Ａ）は、電流検出素子２の平面図、図４（Ｂ）は、図４（Ａ）のIV−IV線における断面図である。なお、図４（Ａ）に示す平面図は透視図である。
【００５４】
電流検出素子２の積層体１０Ａは、フェライト等の強磁性体のみからなる絶縁体層と、非磁性体のみからなる絶縁体層とが積層され、焼結されて構成されている。非磁性体のみからなる絶縁体層が積層されることで、積層体１０Ａには、非磁性体層の低透磁率部１４が形成される。そして、積層方向に沿って低透磁率部１４を間に挟むように、強磁性体のみからなる絶縁体層が積層されている。
【００５５】
主線路用電極１１は、非磁性体のみからなる絶縁体層の主面に形成されている。コイル導体１２は、巻回軸を積層体１０Ａの積層方向となるよう、開ループ状導体１２１，１２２，１２３，１２４が、層間接続導体（不図示）により接続されることで形成されている。開ループ状導体１２２，１２３は、非磁性体のみからなる絶縁体層の主面に形成されている。これにより、主線路用電極１１及びコイル導体１２の一部は、積層体１０Ａの低透磁率部１４内に形成された構成となる。
【００５６】
なお、電流検出素子２による電流検出方法は、実施形態１と同様であるため、説明は省略する。
【００５７】
この構成のように、主線路用電極１１を積層体１０Ａ内に配置することで、主線路用電極１１近傍の磁束集中を弱めることができ、より大きな電流を流すことができる。また、主線路用電極１１とコイル導体１２との磁界結合を強めることができる。これにより、電流の検出感度を高めることができる。さらに、主線路用電極１１周りの透磁率は低いため、主線路用電極１１のインダクタンス成分または磁気損失を小さくできる。また、主線路用電極１１周りの磁気飽和を防止できる。
【００５８】
（実施形態３）
実施形態３に係る電流検出素子は、電流を検出するためのコイル導体を二つ備えている点で、実施形態１と相違する。
【００５９】
図５（Ａ）は、電流検出素子３の平面図、図５（Ｂ）は、図５（Ａ）のＶ−Ｖ線における断面図である。
【００６０】
電流検出素子３は、積層体２０、主線路用電極２１及びコイル導体２２Ａ，２２Ｂを備えている。積層体１０は、複数の絶縁体層が積層され、焼結されて形成されている。絶縁体層は、フェライト等の強磁性体のみからなる絶縁体層と、強磁性体及び非磁性体からなる絶縁体層とがある。これら絶縁体層が積層された際、非磁性体により、積層体２０には、周囲よりも透磁率が低い低透磁率部２４が形成される。
【００６１】
主線路用電極２１は、積層体２０の低透磁率部２４内に形成されている。主線路用電極２１は、本発明に係る「主線路導体」の一例である。
【００６２】
コイル導体２２Ａ，２２Ｂは、巻回軸を積層体２０の積層方向にし、かつ、積層方向からの平面視で、主線路用電極２１を間に挟むようにして、形成されている。コイル導体２２Ａ，２２Ｂの巻回軸は、主線路用電極２１の延びる方向とは異なる方向を向いている。つまり、コイル導体２２Ａ，２２Ｂの巻回軸はそれぞれ主線路用電極２１とねじれの位置関係となっている。コイル導体２２Ａ，２２Ｂは、本発明に係る「電流検出用導体」の一例である。
【００６３】
コイル導体２２Ａは、異なる絶縁体層の主面に形成された開ループ状導体２２１，２２２，２２３，２２４が、層間接続導体（不図示）により接続されることで形成されている。コイル導体２２Ａは、一部が低透磁率部２４内に位置している。図５（Ａ）及び図５（Ｂ）の場合、開ループ状導体２２２，２２３が、非磁性体を含む絶縁体層の主面に形成され、その開ループ状導体２２２，２２３の一部が非磁性体部分に形成されている。これにより、コイル導体２２Ａは、一部が積層体２０の低透磁率部２４内に形成された構成となる。
【００６４】
コイル導体２２Ｂは、異なる絶縁体層の主面に形成された開ループ状導体２２５，２２６，２２７，２２８が、層間接続導体（不図示）により接続されて、形成されている。開ループ状導体２２５，２２６，２２７，２２８は、開ループ状導体２２１〜２２４が形成された絶縁体層と同じ層に形成されていてもよいし、異なる層に形成されていてもよい。コイル導体２２Ｂは、一部が低透磁率部２４内に位置している。図５（Ａ）及び図５（Ｂ）の場合、開ループ状導体２２６，２２７が、非磁性体を含む絶縁体層の主面に形成され、その開ループ状導体２２６，２２７の一部が非磁性体部分に形成されている。これにより、コイル導体２２Ｂは、一部が積層体２０の低透磁率部２４内に形成された構成となる。
【００６５】
コイル導体２２Ａ，２２Ｂの実装面側の一端は、層間接続導体により、実装電極に接続されている。また、コイル導体２２Ａ，２２Ｂの上面側の一端同士は、接続導体２３により接続されている。接続導体２３は、主線路用電極２１を跨ぐようにして、絶縁体層の主面に形成されている。コイル導体２２Ａ，２２Ｂは、接続導体２３により直列に接続されることで、コイル導体２２Ａ，２２Ｂは一つのコイルを形成している。
【００６６】
なお、接続導体２３を主線路用電極１１から距離が離れた層に形成した場合、接続導体２３と主線路用電極２１との寄生容量を低減することができる。
【００６７】
図６は、コイル導体２２Ａ，２２Ｂに生じる誘導電流の流れる方向を説明するための図である。
【００６８】
主線路用電極２１に電流が流れると、磁束が発生し、その磁束がコイル導体２２Ａ，２２Ｂのコイル開口を通過することで、主線路用電極２１とコイル導体２２Ａ，２２Ｂとが磁界結合する。詳しくは、コイル導体２２Ａ，２２Ｂの一方には、積層方向の上面側から実装面側に向かう主線路用電極２１による磁束が鎖交し、他方には実装面側から上面側に向かう主線路用電極２１よる磁束が鎖交する。主線路用電極２１とコイル導体２２Ａ，２２Ｂとが磁界結合することで、コイル導体２２Ａ，２２Ｂに誘導起電力が生じ、誘導起電力に応じてコイル導体２２Ａ，２２Ｂに誘導電流が流れる。
【００６９】
コイル導体２２Ａ，２２Ｂに生じる誘導電流の流れる方向は、主線路用電極２１及びコイル導体２２Ａ，２２Ｂを積層方向から平面視したとき、それぞれ逆回りである。ここで、コイル導体２２Ａとコイル導体２２Ｂは、コイル導体２２Ａ，２２Ｂに流れる誘導電流が互いに打ち消しあわないように接続される。つまり、コイル導体２２Ａ，２２Ｂの構造がともに左手の螺旋（left-handed helix）であるならば、コイル導体２２Ａ，２２Ｂは互いに上面側の一端を接続することで直列に接続される。したがって、主線路用電極１１とコイル導体２２Ａ，２２Ｂとの磁界結合が弱まることはない。
【００７０】
なお、本実施形態では、コイル導体２２Ａ，２２Ｂの構造がともに左手の螺旋、つまり同じ巻回方向であり、コイル導体２２Ａ，２２Ｂは互いに上面側の一端を接続することで直列に接続され、主線路用電極２１に流れる電流により生じた磁束がコイル導体２２Ａ，２２Ｂのコイル開口を通過して、主線路用電極２１とコイル導体２２Ａ，２２Ｂとが磁界結合するようにしているが、コイル導体２２Ａ，２２Ｂの構造や接続の仕方は、これに限らない。
【００７１】
主線路用電極２１とコイル導体２２Ａ，２２Ｂとが磁界結合することでコイル導体２２Ａ，２２Ｂに生じる誘導電流が打ち消しあわないように、コイル導体２２Ａ，２２Ｂの構造の巻回方向と接続の仕方を選択する。まず、積層方向からの平面視でのコイル導体２２Ａ，２２Ｂの構造の巻回方向を決定するため、コイル導体２２Ａ，２２Ｂのそれぞれの２つの端部に、巻き始めと巻き終わりを任意に決める。積層方向からの平面視で、コイル導体２２Ａ，２２Ｂの構造の巻き始めから巻き終わりまでの巻回方向がともに同じであるならば、コイル導体２２Ａ，２２Ｂの一方の巻き始めと他方の巻き始めとが接続される、または一方の巻き終わりと他方の巻き終わりとが接続され、コイル導体２２Ａ，２２Ｂは直列接続される。積層方向からの平面視で、コイル導体２２Ａ，２２Ｂの構造の巻き始めから巻き終わりまでの巻回方向が互いに逆であるならば、コイル導体２２Ａ，２２Ｂの一方の巻き始めと他方の巻き終わりとが接続され、コイル導体２２Ａ，２２Ｂは直列接続される。
【００７２】
以上のように、電流検出素子３において、主線路用電極２１に電流が流れると、主線路用電極２１とコイル導体２２Ａ，２２Ｂとは磁界結合する。そして、実施形態１で説明したように、コイル導体２２Ａ，２２Ｂに誘導電流が流れる。この誘導電流を検出することで、主線路用電極２１に流れる電流を検出できる。
【００７３】
本実施形態では、主線路用電極２１とコイル導体２２Ａ，２２Ｂの一部とは、低透磁率部２４内に形成されている。換言すれば、図５（Ａ）に示す平面視で、主線路用電極２１とコイル導体２２Ａ，２２Ｂとの間に低透磁率部２４が形成されている。このため、低透磁率部が形成されない場合と比較して主線路用電極２１とコイル導体２２Ａ，２２Ｂとの磁界結合は強くなる。これにより、主線路用電極２１に流れる電流の検出感度を高めることができる。
【００７４】
また、主線路用電極２１は、コイル導体２２Ａ，２２Ｂの間に配置されている。このため、絶縁体層を積層して積層体２０を製造する際に積層ずれが生じ、主線路用電極２１とコイル導体２２Ａとの距離が離れても、主線路用電極２１とコイル導体２２Ｂとの距離は接近する。すなわち、主線路用電極２１とコイル導体２２Ａとの磁界結合が弱くなっても、主線路用電極２１とコイル導体２２Ｂとの磁界結合は強くなる。コイル導体２２Ａ，２２Ｂは直列接続され、一つのコイル導体を形成している。したがって、フェライトシートの積層ずれが生じても、主線路用電極２１と、二つのコイル導体２２Ａ，２２Ｂとの磁界結合は略変わらない。
【００７５】
なお、低透磁率部２４の形成領域は、図５に限定されない。
【００７６】
図７（Ａ）、図７（Ｂ）および図７（Ｃ）は、別の例の電流検出素子３Ａ，３Ｂ，３Ｃを示す図である。
【００７７】
図７（Ａ）に示す電流検出素子３Ａでは、二つの低透磁率部２４Ａ，２４Ｂが積層体２０に形成されている。低透磁率部２４Ａ，２４Ｂは、本発明に係る「低透磁率部」に相当する。低透磁率部２４Ａは、主線路用電極２１の一部とコイル導体２２Ａの一部とに接している。また、低透磁率部２４Ｂは、主線路用電極２１の一部とコイル導体２２Ｂの一部とに接している。この構成であっても、主線路用電極２１とコイル導体２２Ａ，２２Ｂとの間に低透磁率部２４Ａ，２４Ｂが形成されているため、主線路用電極２１とコイル導体２２Ａ，２２Ｂとの磁界結合は強く、主線路用電極２１に流れる電流の検出感度を高めることができる。
【００７８】
図７（Ｂ）に示す電流検出素子３Ｂの積層体２０は、一部に低透磁率部２４Ｃの層を有している。低透磁率部２４Ｃ以外の層は強磁性体層である。主線路用電極２１、開ループ状導体２２２，２２３，２２６，２２７は、低透磁率部２４Ｃに形成されている。この構成であっても、主線路用電極２１とコイル導体２２Ａ，２２Ｂとの磁界結合は強く、主線路用電極２１に流れる電流の検出感度を高めることができる。
【００７９】
図７（Ｃ）に示す電流検出素子３Ｃでは、主線路用電極２１を、複数の電極（図では２つの電極）が図示しない層間接続導体により接続された多層構造とし、さらに、その主線路用電極２１を低透磁率部２４Ｄ内に配置している。主線路用電極２１を多層構造とすることで、主線路用電極２１のインダクタンス成分、抵抗成分を小さくすることができる。また、主線路用電極２１を低透磁率部２４Ｄ内に配置することで、主線路用電極２１を流れる電流によって積層体２０内部に生成される磁束密度を低減させる（磁束集中を弱める）ことができる。その結果、磁性層の飽和を防止することができるため、主線路用電極２１に、より大きな電流を流すことができる。
【００８０】
低透磁率部２４Ｄは、低透磁率部２４Ｄを上下方向から挟む磁性体層の厚さよりも厚く形成されている。このとき、磁性体層の厚みを薄くすると磁束密度が層内で飽和（非線形性）しやすくなるため、磁性体層は、内部の磁束密度が許容できる範囲内となる厚みで形成することが好ましい。また、磁性体層の比透磁率は例えば５０〜３００である。
【００８１】
コイル導体２２Ａ，２２Ｂは、低透磁率部２４Ｄを挟んで積層方向の上側の磁性体層内に形成されたコイル導体２２Ａｕ，２２Ｂｕと、下側の磁性体層内に形成されたコイル導体２２Ａｄ，２２Ｂｄとで構成されている。コイル導体２２Ａｕとコイル導体２２Ａｄとの間の距離は、積層方向に互いに隣接するコイル導体２２Ａｕの間の距離またはコイル導体２２Ａｄの間の距離よりも長い。また、コイル導体２２Ｂｕとコイル導体２２Ｂｄとの間の距離は、積層方向に互いに隣接するコイル導体２２Ｂｕの間の距離またはコイル導体２２Ｂｄの間の距離よりも長い。なお、コイル導体２２Ａｕ，２２Ｂｕの下側一部、および、コイル導体２２Ａｄ，２２Ｂｄの上側一部は、低透磁率部２４Ｄに形成されている。コイル導体２２Ａ，２２Ｂを磁性体層に形成することで、コイル導体２２Ａ，２２Ｂのインダクタンスは大きくなるため、電流の検出感度は高まる。また、主線路用電極２１とコイル導体２２Ａ，２２Ｂとを挟み込むように磁性体層が配置されているため、磁気結合が強まり、電流の検出感度は高まる。
【００８２】
また、低透磁率部２４Ｄに形成されるコイル導体２２Ａｕ，２２Ａｄと主線路導体との磁界結合に寄与する効果は小さいが損失は生じる。このため、コイル導体２２Ａｕとコイル導体２２Ａｄを離間させている。また、コイル導体２２Ａｕとコイル導体２２Ａｄとを離間させることにより、コイル導体２２Ａｕとコイル導体２２Ａｄは主線路用電極２１とも離間するため、コイル導体２２Ａｕ，２２Ａｄと主線路用電極２１との間で寄生容量が発生するのを防ぐことができる。また、コイル導体２２Ａｕ，２２Ａｄと主線路用電極２１との間で絶縁距離を保つこともできる。同様の理由で、コイル導体２２Ｂｕとコイル導体２２Ｂｄも離間させている。
【００８３】
また、主線路用電極２１とコイル導体２２Ａ，２２Ｂとは、積層体２０の平面方向（積層方向の直交方向）において、重ならないように形成されている。これにより、主線路用電極２１とコイル導体２２Ａ，２２Ｂとが近接せず、主線路用電極２１とコイル導体２２Ａ，２２Ｂと間に生じる寄生容量を低減できる。その結果、電流検出回路の出力電圧の誤差を低減できる。
【００８４】
図８は、低透磁率部を設けることによる効果を説明するための図である。
【００８５】
図８の縦軸は、主線路用電極とコイル導体との結合係数である。結合係数は、主線路用電極のインダクタンスをＬ１、コイル導体のインダクタンスをＬ２、主線路用電極とコイル導体間の相互インダクタンスをＭとした場合に、ｋ＝Ｍ／√（Ｌ１×Ｌ２）で定義する。（１）は低透磁率部を設けない電流検出素子、（２）は、図７（Ａ）に示す電流検出素子３Ａ、（３）は、図６に示す電流検出素子３、（４）は、図７（Ｂ）に示す電流検出素子３Ｂの結合係数をそれぞれ示す。この図から読み取れるように、低透磁率部を設けることにより、低透磁率部を設けていない電流検出素子と比較して、その結合係数が大きくなることが分かる。
【００８６】
なお、本実施形態では、コイル導体２２Ａ，２２Ｂは直列接続されている並列に接続されてもよい。コイル導体２２Ａ，２２Ｂを並列接続することにより、抵抗を下げて損失を抑えることができる。コイル導体２２Ａ，２２Ｂが並列に接続される場合のコイル導体２２Ａ，２２Ｂの構造の巻回方向と接続の仕方は次の通りである。積層方向からの平面視で、コイル導体２２Ａ，２２Ｂの構造の巻き始めから巻き終わりまでの巻回方向がともに同じであるならば、一方の巻き始めと他方の巻き終わりとが接続され、さらに一方の巻き終わりと他方の巻き始めとが接続され、コイル導体２２Ａ，２２Ｂの２つの接続部間に検出用回路が接続される。積層方向からの平面視で、コイル導体２２Ａ，２２Ｂの構造の巻き始めから巻き終わりまでの巻回方向が互いに逆であるならば、コイル導体２２Ａ，２２Ｂの一方の巻き始めと他方の巻き始めとが接続され、さらに一方の巻き終わりと他方の巻き終わりとが接続され、コイル導体２２Ａ，２２Ｂの２つの接続部間に検出用回路が接続される。
【００８７】
また、コイル導体２２Ａ，２２Ｂは、接続せず、互いに独立していてもよい。この場合、コイル導体２２Ａ，２２Ｂの巻回方向は限定されない。また、コイル導体２２Ａ，２２Ｂそれぞれから、二つの電流検出結果を得ることができる。
【００８８】
（実施形態４）
実施形態４では、電流検出素子の上面に、電流検出に用いる素子を実装する実装電極を設け、その実装電極に素子を実装し、電流検出回路モジュールを構成している。
【００８９】
図９（Ａ）は、電流検出素子を備えた電流検出回路モジュール４の平面図、図９（Ｂ）は、図９（Ａ）のＩＸ−ＩＸ線における断面図である。図１０は、電流検出回路モジュール４の回路図である。なお、図１０ではコンパレータＵ１の電源やバイアス回路は省略している。
【００９０】
電流検出回路モジュール４は積層体３０を備えている。積層体３０は、フェライト等の強磁性体からなる絶縁体層と、非磁性体からなる絶縁体層とが積層され、焼結されて構成されている。非磁性体からなる絶縁体層が積層されることで、積層体３０には、非磁性体層の低透磁率部３１Ａ，３１Ｂ，３１Ｃが形成される。また、積層方向に沿って低透磁率部３１Ａ，３１Ｂの間、低透磁率部３１Ａ，３１Ｃの間に挟まれるように、強磁性体からなる絶縁体層３２Ａ，３２Ｂが積層されている。
【００９１】
積層体３０の実装面には、マザー基板に実装するための実装電極３３Ａ，３３Ｂ等が設けられている。積層体３０の上面には、素子を実装するための実装電極３４Ａ，３４Ｂ，３４Ｃ，３４Ｄ，３４Ｅ等が設けられている。なお、図９では、実装電極３３Ａ，３３Ｂと、実装電極３４Ａ〜３４Ｅとを図示しているが、実装電極の数はこれに限定されない。
【００９２】
絶縁体層３２Ａの主面には、面状に広がるグランド電極１６が設けられている。実装電極３４Ａは、層間接続導体を介してグランド電極１６に導通している。低透磁率部３１Ｂには、実装電極３４Ｂ〜３４Ｅを接続する配線パターン１７が設けられている。
【００９３】
主線路用電極１１は低透磁率部３１Ａに形成されている。コイル導体１２は、巻回軸を積層体３０の積層方向となるよう、絶縁体層３２Ａ，３２Ｂ及び低透磁率部３１Ａ内に形成されている。コイル導体１２の巻回軸は、主線路用電極１１の延びる方向とは異なる方向を向いている。つまり、コイル導体１２の巻回軸はそれぞれ主線路用電極１１とねじれの位置関係となっている。
【００９４】
実装電極３４Ａ〜３４Ｅには、コンパレータＵ１、ダイオードＤ１、キャパシタＣ３１，Ｃ３２，Ｃ３３、抵抗Ｒ１等が実装されている。ダイオードＤ１、キャパシタＣ３１，Ｃ３２、抵抗Ｒ１は、図２（Ａ）と同様に、主線路用電極１１に流れる電流を検出する検出用回路を構成している。キャパシタＣ３３及びコンパレータＵ１は、ゼロクロス検出回路を構成している。ゼロクロス検出回路は、コイル導体１２に誘起される交流電圧のゼロ地点（ゼロクロス点）を検出する回路であり、交流電圧が特定の電位（例えばグランド電位）を超えたときにＨｉを出力し、超えないときにＬｏを出力する。すなわち、周波数に同期したデジタル信号を出力する。
【００９５】
この構成では、グランド電極１６が、主線路用電極１１及びコイル導体１２と重なるように設けられている。これにより、主線路用電極１１等から生じる電磁界ノイズはグランド電極１６により遮蔽され、積層体３０の上面に実装された素子（コンパレータＵ１等）への影響が軽減される。また、必要な素子を積層体３０の上面に実装することで、電流検出回路モジュール４の実装領域を省スペース化できる。
【００９６】
なお、積層体３０の構成は、実施形態１〜３で説明した積層体の構成であってもよい。例えば、低透磁率部は、図１に示すように、積層体内部の一部に形成されていてもよい。また、電流検出回路モジュール４は、実施形態３で説明したように、二つのコイル導体を備えていてもよい。
【００９７】
（実施形態５）
この例では、実施形態１で説明した電流検出素子１を備えた電力伝送システムについて説明する。
【００９８】
図１１は、実施形態５に係る電力伝送システム１００の回路図である。電力伝送システム１００は、送電装置１０１と受電装置２０１とを備えている。電力伝送システム１００は、磁界結合方式により、送電装置１０１から受電装置２０１へ電力を伝送する。
【００９９】
受電装置２０１は負荷回路２１１を備えている。この負荷回路２１１は充電回路及び二次電池を含む。なお、二次電池は受電装置２０１に対し着脱式であってもよい。そして、受電装置２０１は、その二次電池を備えた、例えば携帯電子機器である。携帯電子機器としては携帯電話機、ＰＤＡ（Personal Digital Assistant）、携帯音楽プレーヤ、ノート型ＰＣ、デジタルカメラなどが挙げられる。送電装置１０１は、載置された受電装置２０１の二次電池を充電するための充電台である。
【０１００】
送電装置１０１は、直流電圧を出力する直流電源Ｖｉｎを備えている。直流電源Ｖｉｎは、商用電源に接続されるＡＣアダプタである。直流電源Ｖｉｎには、直流電圧を交流電圧に変換するインバータ回路１１１が接続されている。インバータ回路１１１の出力側には、キャパシタＣ３１，Ｃ３２及びコイルＬ２から構成される共振回路が接続されている。
【０１０１】
また、インバータ回路１１１と共振回路との間には、電流検出素子１が設けられている。電流検出素子１の主線路用電極１１が、インバータ回路１１１と共振回路との間の電力伝送ラインの一部となっている。そして、この電流検出素子１は、図示しないマザー基板に実装され、キャパシタＣ１及び負荷ＲＬに接続されている。図２で説明したように、負荷ＲＬの電圧を検出することで、インバータ回路１１１と共振回路との間に流れる電流（以下、送電電流と言う）を検出できる。
【０１０２】
受電装置２０１は、共振回路を構成するキャパシタＣ４及びコイルＬ３を有している。そして、コイルＬ２，Ｌ３が磁界結合することで、送電装置１０１から受電装置２０１へ電力が伝送される。この受電装置２０１の共振回路は、送電装置１０１の共振回路と同じ共振周波数に設定されている。送電装置１０１及び受電装置２０１の共振回路の共振周波数を同じにすることで、効率よく電力伝送が行える。
【０１０３】
受電装置２０１の共振回路には、受電回路２１０が接続されている。受電回路２１０は、コイルＬ３に誘起された電圧を整流及び平滑する。また、受電回路２１０は、整流及び平滑した電圧を、安定化された所定電圧に変換し、負荷回路２１１へ供給する。
【０１０４】
この電力伝送システム１００において、送電装置１０１の送電電流と、送電装置１０１の共振回路への入力電圧Ｖ１を検出することで、インバータ回路１１１から受電装置２０１側を視たインピーダンスを検出できる。インピーダンスを検出することで、例えば、送電装置１０１に受電装置２０１が載置されたか否かを判定できる。送電装置１０１に受電装置２０１を載置した場合、送電装置１０１と受電装置２０１との共振回路が結合して、複合共振による周波数ピークが現れる。そして、インピーダンスの周波数特性を検出し、周波数ピークの有無を検出することで、受電装置２０１の載置の有無を判定できる。
【０１０５】
なお、電流検出素子１を用いて送電装置１０１の送電電流のみを検出した場合においても、電流の大きさ、または位相の変化により、受電装置２０１の載置の有無の判定または異常等の状態検知を行うことができる。
【０１０６】
また、上述した各実施形態１〜４は、主線路用電極に流れる電流を検出するための電流検出用導体はコイル状導体としているが、主線路用電極と磁界結合するものであれば、形状は特に限定されない。また、各実施形態１〜４は、適宜組み合わせ可能である。
【０１０７】
また、上述した各実施形態１〜４において、主線路用電極及び電流検出用導体は高透磁率部及び低透磁率部を有する絶縁体の内部に形成されているが、主線路用電極と電流検出用導体はそれぞれ絶縁体の表面に少なくとも一部が形成されていてもよい。少なくとも主線路用電極及び電流検出用導体が絶縁体に固定され、主線路用電極と電流検出用導体との間に絶縁体の低透磁率部が配置され、低透磁率部の周囲に高透磁率部が配置されればよい。
【符号の説明】
【０１０８】
Ｃ１，Ｃ２，Ｃ３１，Ｃ３２，Ｃ３３，Ｃ４…キャパシタ
Ｄ１…ダイオード
Ｌ１…インダクタ
Ｌ２，Ｌ３…コイル
Ｒ１…抵抗
ＲＬ…負荷
Ｕ１…コンパレータ
Ｖｉｎ…直流電源
１，１Ａ，２，３，３Ａ，３Ｂ，３Ｃ…電流検出素子
４…電流検出回路モジュール
１０，１０Ａ…積層体
１１…主線路用電極
１２…コイル導体
１３，１３Ａ，１４…低透磁率部
１６…グランド電極
１７…配線パターン
２０…積層体
２１…主線路用電極
２２Ａ，２２Ｂ…コイル導体
２２Ａｄ，２２Ａｕ…コイル導体
２２Ｂｄ，２２Ｂｕ…コイル導体
２３…接続導体
２４，２４Ａ，２４Ｂ，２４Ｃ，２４Ｄ…低透磁率部
３０…積層体
３１Ａ，３１Ｂ，３１Ｃ…低透磁率部
３２Ａ，３２Ｂ…絶縁体層
３３Ａ，３３Ｂ…実装電極
３４Ａ，３４Ｂ，３４Ｃ，３４Ｄ，３４Ｅ…実装電極
１００…電力伝送システム
１０１…送電装置
１１１…インバータ回路
１２１，１２２，１２３，１２４…開ループ状導体
２０１…受電装置
２１０…受電回路
２１１…負荷回路
２２１，２２２，２２３，２２４，２２５，２２６，２２７，２２８…開ループ状導体
２２２Ａｄ…コイル導体
【要約】
磁性体層を含む複数の絶縁体層が積層された積層体（１０）と、積層体（１０）に形成された主線路用電極（１１）と、積層体（１０）に形成され、主線路用電極（１１）と磁界結合するコイル導体（１２）とを備える。積層体（１０）は、主線路用電極（１１）とコイル導体（１２）との間に設けられ、透磁率が周囲よりも低い低透磁率部（１３）を有している。低透磁率部（１３）は、主線路用電極（１１）又はコイル導体（１２）の少なくとも一方に接している。これにより、小型化でき、感度よく電流検出を行える電流検出素子及びそれを備えた電力伝送システムを提供する。【図１】
0005994963.tif 000002
【図２】
0005994963.tif 000003
【図３】
0005994963.tif 000004
【図４】
0005994963.tif 000005
【図５】
0005994963.tif 000006
【図６】
0005994963.tif 000007
【図７】
0005994963.tif 000008
【図８】
0005994963.tif 000009
【図９】
0005994963.tif 000010
【図１０】
0005994963.tif 000011
【図１１】
0005994963.tif 000012